(57)【要約】【課題】  燃料電池システムを車両に搭載した状態で、その気密試験を実施できるようにする。【解決手段】  出力電流がゼロの状態で、ＥＣＵ３０は、遮断弁１２を開弁して、水素タンク１１から燃料電池１に水素ガスを供給する。次いで、遮断弁１２を閉弁し、燃料電池１を含む、ライン１９ｂ、１９ｃ、１９ｄ、１９ｅ、１９ｆに水素ガスの流入を遮断した閉空間を形成する。閉空間の圧力を圧力センサ１８によって検出し、その検出値に基づいて、燃料電池１を含む閉空間の気密性を判定する。【選択図】      図１
2005190764.tif 000002
【特許請求の範囲】
【請求項１】
電解質膜を酸化剤極と燃料極とにより挟んで構成され、前記酸化剤極に酸化剤ガス、前記燃料極に燃料ガスをそれぞれ供給することによって発電を行う燃料電池を有する燃料電池システムにおいて、
前記供給される酸化剤ガスの圧力により前記燃料ガスの供給を制御する圧力調整手段と、
前記燃料極側の圧力を検出する圧力検出手段とを備え、
前記圧力調整手段を介して前記燃料極に検査用ガスを供給し、その供給を遮断した後、前記圧力検出手段の検出値に基づいて前記燃料極側の気密性を判定することを特徴とする燃料電池システムにおける気密試験方法。
【発明の詳細な説明】
【技術分野】
【０００１】
本発明は、車両（燃料電池電気自動車）に搭載される燃料電池システムにおいて、燃料系の気密性を判定可能な気密試験方法に関する。
【背景技術】
【０００２】
燃料電池システムにおいて燃料系のガス漏洩を検出するため、従来、燃料電池の水素供給ラインと、空気供給ラインにそれぞれ窒素ガスを充填して密閉し、燃料電池のアノード極側の圧力をカソード極側の圧力より大きく維持した状態で、カソード極側で窒素量を計量し、窒素量の増加を検出することによって、ガス漏洩を検出する技術が知られている（特許文献１）。
【０００３】
しかしながら、この検出方法では、窒素量の増加度合いによってアノード極とカソード極との間に設けられた電解質膜の気密性を判定できるものの、水素供給ラインの気密性については判定できないという問題があった。
また、気密試験を行うに際して、窒素ガスを充填するために、窒素ガス源を水素供給ライン、空気供給ラインにそれぞれ接続する必要があるので、配管の繋ぎ変え作業が必要で、車両の場合、気密試験の実施が面倒であるという問題があった。
【０００４】
このほか、給水管の水漏洩を検出する方法として、特許文献２開示の技術が知られている。この技術は、コンプレッサによって給水管内に所定の圧力の空気を充填して密閉し、充填された空気の圧力変化で漏洩を検出するものである。この技術を用いることによって、水素供給ラインを含めて燃料電池のアノード極の気密試験を行うことができる。
【特許文献１】特開平５−２０５７６２号公報（段落００１８、図３）
【特許文献２】特開平５−７９９４３号公報（全文）
【発明の開示】
【発明が解決しようとする課題】
【０００５】
しかしながら、特許文献２開示の技術でも、空気を充填するため、コンプレッサを水素供給ラインに接続する必要があることから、前記同様に気密試験を容易に実施できない。一般に、燃料電池システムにおけるガス漏洩は、走行時の振動や衝撃によって起きることが多いため、ガス漏洩を迅速に検出できれば、早期に対応措置をとることができるが、前記いずれの技術も、前記の理由によって燃料電池システムを車両に搭載したまま、気密試験が容易に行えないという問題があった。
本発明は、このような従来の問題点に鑑み、燃料電池システムを車両に搭載したまま、簡単に気密試験が行える燃料電池システムにおける気密試験方法を提供することを目的とする。
【課題を解決するための手段】
【０００６】
このため本発明は、電解質膜を酸化剤極と燃料極とにより挟んで構成され、前記酸化剤極に酸化剤ガス、前記燃料極に燃料ガスをそれぞれ供給することによって発電を行う燃料電池を有する燃料電池システムにおいて、前記供給される酸化剤ガスの圧力により、前記燃料ガスの供給を制御する圧力調整手段と、前記燃料極側の圧力を検出する圧力検出手段とを備え、前記圧力調整手段を介して前記燃料極に検査用ガスを供給し、その供給を遮断した後、前記圧力検出手段の検出値に基づいて前記燃料極側の気密性を判定する気密試験方法とした。
【発明の効果】
【０００７】
本発明によれば、燃料電池システムを車両に搭載したまま、簡単に気密試験が行える。このため、気密試験の労力を削減することができる。また、気密試験を頻繁に行うことも可能になるので、気密低下を早期に検知することが可能になる。
また、気密試験を行うに際して、供給される酸化剤ガスの圧力により、検査用ガスの供給を制御できるため、電解質膜の両側で圧力の均衡を取ることができ、極間差圧による電解質膜の破損などを防止できる効果が得られる。
【発明を実施するための最良の形態】
【０００８】
以下、本発明の実施の形態を図に基づいて説明する。
図１は、車両に搭載される燃料電池システムの構成を示す図である。
燃料電池１は、電解質膜１ａをアノード極（燃料極）１０とカソード極（酸化剤極）２０とにより挟んで構成されている。燃料電池１のアノード極１０には、水素供給ライン１９（ライン１９ａ、１９ｂ、１９ｃ、１９ｄ、１９ｅ、１９ｆ）が接続され、この水素供給ライン１９を介して、水素タンク１１から、燃料電池１のアノード極１０に水素ガスを供給することができる。水素タンク１１には、例えば、圧力が３５ＭＰａ以上に圧縮された水素が貯蔵されている。
【０００９】
水素供給ライン１９には、水素タンク１１側から、遮断弁１２、レギュレータ１５（圧力調整手段）、エゼクタ１６、圧力センサ１８が順次に設けられている。
遮断弁１２は、その動作がＥＣＵ３０に制御され、開弁状態では水素タンク１１から燃料電池１に水素ガスの供給が可能になり、閉弁状態ではその供給が遮断される。
レギュレータ１５は、パイロット操作圧力弁であり、燃料電池１のカソード極２０に供給される空気の圧力をパイロット圧としており、燃料電池１に供給される水素ガスの圧力を調整している。
エゼクタ１６は、ライン１９ｅ、１９ｆを介して燃料電池１から排出された未反応の水素ガスをライン１９ｄに戻して燃料電池１に還流させている。
パージ弁１７は、ＥＣＵ３０の制御信号で開閉し、通常は閉状態にある。パージ弁１７を開弁したときは、燃料電池１内の水や不要となった水素ガスが排出ラインＡから排出される。気密試験を行う際には閉状態にされる。
【００１０】
水素タンク１１からの水素ガスは、水素供給ライン１９を介して燃料電池１のアノード極１０に供給され、燃料電池１で消費されなかった水素ガスは、エゼクタ１６によってアノード極１０に還流されるため、パージ弁１７が閉弁している状態で、遮断弁１２を閉弁すると、燃料電池１のアノード極１０を含む、ライン１９ｂ、１９ｃ、１９ｄ、１９ｅ、１９ｆが水素ガスの流入が遮断された閉空間となる。
【００１１】
このとき、燃料電池１の出力電流がゼロの場合、発電に伴って水素ガスが消費され閉空間の圧力が低下することはない。したがって、閉空間内の圧力の変化を検出することによって、燃料電池１を含む閉空間の気密性を判定することができる。
【００１２】
燃料電池１のカソード極２０には空気供給ライン２９ａを介して空気過給器２１が接続され、空気過給器２１によって加圧された空気が、空気供給ライン２９ａから燃料電池１のカソード極２０に供給される。燃料電池１を通過した空気は、排出ラインＢから大気中に排出される。空気過給器２１は、ＥＣＵ３０に制御されている。
【００１３】
空気過給器２１によって燃料電池１のカソード極２０に加圧した空気が供給されるとき、供給される空気の圧力がパイロット圧としてアノード極１０側のレギュレータ１５に印加され、レギュレータ１５は、燃料電池１に供給される空気の圧力に応じた圧力になるように水素ガスの供給を調整する。これによって、燃料電池１のアノード圧力とカソード圧力を略同一の圧力に保つことができ、アノード極１０とカソード極２０との極間差圧による電解質膜１ａの損傷を防止することができる。
【００１４】
次に、前記燃料電池システムにおける水素系の気密試験について説明する。図２は、気密試験の流れを示すフローチャートである。
まず、ステップＳ１において、ＥＣＵ３０は、ガス漏洩を検出するガス漏洩検出モードに移行するか否かを判断する。ガス漏洩検出モードへの移行は、負荷への出力電流がゼロになっているときに行われるものとする。ガス漏洩検出モードに移行すると判断すると、負荷を遮断してステップＳ２へ進む。
ステップＳ２においては、ＥＣＵ３０が遮断弁１２に開弁信号を出力して開弁する。
【００１５】
遮断弁１２の開弁によって、水素タンク１１から水素供給ライン１９を介して燃料電池１に検査用ガスとしての水素ガスが流れるが、空気過給器２１が停止状態であるため、レギュレータ１５がほぼ絞り込んだ状態にあり、アノード極１０には少量の水素ガスしか供給されない。したがって、このときアノード圧力はほぼゼロに保たれている。
ステップＳ３において、ＥＣＵ３０は、起動信号を出力して空気過給器２１を起動する。これによって、燃料電池１のカソード極２０に加圧された空気が供給され、供給される空気の圧力がさらにパイロット圧として、レギュレータ１５に印加されるので、レギュレータ１５の調整で、燃料電池１のアノード極１０には、空気の圧力と略同じ圧力の水素ガスが供給される。その結果、電解質膜１ａの両側でほぼ同じ圧力が生成され、極間差圧を考慮した気密試験を実施することができる。
【００１６】
ステップＳ４において、ＥＣＵ３０は、圧力センサ１８の検出値を入力し、アノード圧力として所定圧力との比較によって、アノード圧力の大きさを判断する。
アノード圧力が所定圧力より小さい場合、一定時間後に再び圧力センサ１８から検出値を入力し同判断を行う。
ステップＳ４の判断で、アノード圧力が所定圧力以上になった場合、気密試験に必要な圧力に達したとして、ステップＳ６において、ＥＣＵ３０は空気過給器２１に停止信号を出力して停止させる。
ステップＳ７において、ＥＣＵ３０は、閉弁信号を出力して遮断弁１２を閉弁する。
これによって、燃料電池１のアノード極１０を含む、ライン１９ｂ、１９ｃ、１９ｄ、１９ｅ、１９ｆが水素ガスの流入が遮断された閉空間になる。このとき、燃料電池１の出力電流がゼロのため、発電に伴って燃料電池１および閉空間内の水素ガスが消費されることはなく、ガス漏洩がなければアノード圧力が維持されている。
なお、レギュレータ１５の上流側にあるライン１９ｂには、下流側にあるライン１９ｃより高い圧力が存在することから、気密試験を行っている閉空間部分の圧力が低下すると、ライン１９ｂ内の水素ガスがレギュレータ１５を介して閉空間側に供給されることになる。しかし、遮断弁１２が遮断されていることと、遮断弁１２とレギュレータ１５との間のライン１９ｂの空間容積は少なく設計されていること、さらにライン１９ｂの水素ガスが閉空間側に入り込むことは考慮して試験を行うので、ライン１９ｂから閉空間側に水素ガスが供給されても、気密試験に支障が生じることはない。
【００１７】
ステップＳ８において、圧力センサ１８の検出値を入力し、検出値Ｐ１として保存する。
ステップＳ９において、検出値Ｐ１を入力してから、所定時間を経過したか否かを判断する。経過していなければ、引き続き、同判断を行う。
検出値Ｐ１を入力してから所定時間を経過した場合、ステップＳ１０において、ＥＣＵ３０は、圧力センサ１８から現在の検出値を検出値Ｐ２として入力する。
ステップＳ１１において、ＥＣＵ３０は、検出値Ｐ１とＰ２との差分値（Ｐ１−Ｐ２）を演算した上で、所定値Ｍとの比較を行う。所定値Ｍは例えばラインｂからの水素ガスの流入を考慮して設定することができる。
【００１８】
その結果、差分値が所定値Ｍ以下であれば、閉空間に顕著な圧力変化がないものとしてステップＳ１２において、ＥＣＵ３０は燃料電池１および閉空間にガス漏洩がないと判断する。この判断をもって気密性が維持されていると判断する。
差分値が所定値Ｍより大きければ、閉空間に顕著な圧力変化があるものとしてステップＳ１３において、ＥＣＵ３０は燃料電池１および閉空間にガス漏洩があると判断する。この判断をもって気密性が低下したと判断する。気密性が低下したと判断した場合は、例えば警報などを行ってドライバや整備員に知らせることができる。
【００１９】
本実施の形態は以上のように構成され、遮断弁１２を開弁し、燃料電池１に水素ガスを供給した後、遮断弁１２を閉弁し、燃料電池１を含む、ライン１９ｂ、１９ｃ、１９ｄ、１９ｅ、１９ｆに水素ガスの流入を遮断した閉空間を形成し、この閉空間の圧力を検出することによって、気密試験を実施するため、燃料電池システムを車両に搭載した状態で、その気密試験を実施するができる。また、この気密試験は手軽に行えるので、適宜に実施することによって、ガス漏洩を早期に発見し、例えば早い段階でサービス店に持ち込むなどの対応処置を取らせることができる。
【００２０】
また、気密試験の実施に当って、カソード極２０に空気を供給し、燃料電池１に流れる水素ガスの供給を制御するため、電解質膜１ａの両側で、圧力の均衡が取れて極間差圧による電解質膜１ａの損傷を防止することができる。また、これによって、例えば、アノード圧力を高めて、気密試験の精度を上げることもできる。圧力は温度によって変化することから、一定の温度を保った状態で気密試験を実施するのが好ましい。
【００２１】
前記実施の形態では、気密試験の実施に当って、検査用ガスとして燃料ガスである水素ガスを用いたため、ＥＣＵ３０における遮断弁１２の制御を変更することで実施が可能である。検査用ガスとしては水素ガス以外に、例えば一般的に利用されている窒素ガスを用いることもできる。
次に、別の実施の形態として窒素ガスを利用する場合の気密試験について説明する。
窒素ガスを利用する場合、燃料電池システム自身が窒素ガス源を有していないため、図１に示すように水素供給ライン１９のライン１９ｂに第２遮断弁１４を介して窒素ガスを外部から供給できるようにする。
このようにレギュレータ１５の上流側から窒素ガスの供給を行うことによって、レギュレータ１５は、供給される窒素ガスに対して圧力調整が行え、気密試験の実施に必要な圧力をレギュレータ１５で調整できるとともに、前記実施の形態と同様に、電解質膜１ａの両側で圧力の均衡が取れた状態で、気密試験を行うことができる。
【００２２】
気密試験の実施に際しては、ＥＣＵ３０は、パージ弁１７を開弁した状態で、第２遮断弁１４を開弁して窒素ガスを供給する。この窒素ガスの供給で、水素供給ライン１９における遮断弁１２の下流側に溜まった水素を排出させてパージ弁１７を閉弁する。
その後、前記の実施の形態と同様に、第２遮断弁１４の制御で、燃料電池１に窒素ガスを供給した後、その供給を遮断し、窒素ガスの流入を遮断した閉空間内の圧力を検出することによって、気密試験を行うことができる。
気密試験の流れについては、前記実施の形態と同様で、すなわち図２のフローチャートにおける遮断弁１２を第２遮断弁１４に置き換えることによって、窒素ガスによる気密試験を行うことができる。
【００２３】
以上で具体的な実施の形態の説明を終えるが、本発明の態様はこの実施の形態に限られるものではない。本発明の趣旨を逸脱しない範囲で適宜変更可能である。例えば本実施の形態では、気密試験を実施している間に、空気過給器２１を起動させて、極間差圧を小さくするようにしたが、空気過給器２１の起動がなくても、気密試験を実施することが可能である。
また、空気過給器２１による空気の供給は、アノード圧力が上昇している間だけでなく、気密試験の全過程を通じて行うことも可能である。この場合、閉空間が形成され空気圧を検出している間でも、電解質膜の両側で圧力の均衡が取れ、極間差圧による電解質膜１ａの破損をより効果的に保護することができる。
【図面の簡単な説明】
【００２４】
【図１】車両用燃料電池システムを示す図である。
【図２】気密試験の流れを示すフローチャートである。
【符号の説明】
【００２５】
１      燃料電池
１ａ    電解質膜
１０    アノード極
１１    水素タンク
１２    遮断弁
１４    第２遮断弁
１５    レギュレータ
１６    エゼクタ
１７    パージ弁
１８    圧力センサ
１９    水素供給ライン
２０    カソード極
２１    空気過給器
２９ａ  空気供給ライン
３０    ＥＣＵ
Ａ      排出ライン
Ｂ      排出ライン
【図１】
2005190764.tif 000003
【図２】
2005190764.tif 000004